(57)【要約】【課題】刺股で犯人を押さえ込んだ時に刺股の先端に取り付けた拘束アームで拘束者を締め付け、容易に離脱し得ないようにした刺股を提供する。【解決手段】長柄１の先にその中央から左右に分かれた半円弧状の刺股２を設け、この刺股２の両端に各設けた拘束アーム５がそれぞれ内周りに回動するようにすると共に、該拘束アーム５に逆転防止機構を設けた。また前記拘束アーム５の基端５ａは、刺股２の３／４ほどを平行に分岐させた分岐片４の先端に挟まれてピン６で軸支されているものであり、前記逆転防止機構が、拘束アーム５の基端外周に設けたギヤ歯７にバネ８で付勢されたラッチ９を当接させたものであり、そして前記拘束アーム５の逆転を規制するラッチ９は、ピンまたは鍵などの開錠手段でのみギヤ歯７から離脱し得るようにした。【選択図】図１
0003116280.tif 000002
【実用新案登録請求の範囲】
【請求項１】
長柄（１）の先に左右に分かれ、それぞれ中心に向け内周りに回動する２個の拘束アーム（５）を設けた刺股において、該拘束アーム（５）に内回りの回転力を与える付勢手段と、その付勢力による拘束アームの作動を阻止する作動阻止手段と、その作動阻止を解除する開放手段と、拘束アームの逆転を阻止する逆転防止手段と、その逆転阻止を解除する逆転解除手段とを各設けた拘束アーム付き刺股。
【請求項２】
前記拘束アーム（５）の付勢手段が、軸ピン（６）と拘束アーム（５）との間に介在させた巻きバネ（１５）の作用である請求項１記載の拘束アーム付き刺股。
【請求項３】
前記拘束アームの作動阻止手段が、拘束アーム（５）の基端（５ａ）に設けた段部にバネ（１７）で付勢された係止片（１６）を当接させて行う手段である請求項１記載の拘束アーム付き刺股。
【請求項４】
前記拘束アーム（５）の作動阻止手段を解除する開放手段が、長柄（１）の軸内にワイヤ（１８）を張設し、押しボタン（１９）を押すことによって係止片（１６）が拘束アーム５の基端（５ａ）から離脱するようにした手段である請求項１記載の拘束アーム付き刺股。
【請求項５】
前記拘束アームの逆転を阻止する逆転防止手段が、拘束アーム（５）の基端（５ａ）に設けたラッチ（９）をバネ（８）で付勢して軸ピン（６）の全周に設けたギヤ歯（７）に当接させたものである請求項１記載の拘束アーム付き刺股。
【請求項６】
前記拘束アーム（５）の逆転阻止を解除する逆転解除手段が、拘束アーム（５）の逆転を規制するラッチ（９）をピンまたは鍵などの開錠手段で開放する手段である請求項１、５記載の拘束アーム付き刺股。
【請求項７】
前記拘束アーム（５）が長柄（１）の先端にその中央から左右に分かれた半円弧状の刺股（２）を設け、この刺股（２）の両端に各設けられている請求項１記載の拘束アーム付き刺股。
【請求項８】
前記拘束アーム（５）の基端（５ａ）は、刺股（２）の略３／４ほどを平行に分岐させた分岐片（４）の先端に挟まれて軸ピン（６）で軸支されている請求項７記載の拘束アーム付き刺股。
【請求項９】
前記拘束アーム（５）の先端に磁石（１０）を埋設して双方が近接したときに接合するようにした請求項７記載の拘束アーム付き刺股。
【請求項１０】
前記刺股（２）の内側に複数本の突子（１１）を設けて暴漢を拘束アーム（５）で押さえ込んだときに容易に離脱できないようにした請求項７記載の拘束アーム付き刺股。
【請求項１１】
前記拘束アーム（５）が、長柄（１）の先端中央に左右に分かれて軸ピン（６）で軸支されている請求項１記載の拘束アーム付き刺股。
【請求項１２】
前記長柄（１）の先端近傍を弾性部材（１２）で形成して暴漢を押さえ込んだときに長柄（１）の先端が揺動して容易に刺股から離脱できないようにした請求項１、７、１１記載の拘束アーム付き刺股。
【請求項１３】
前記長柄（１）の基端には固定用ロープを収容するケース（１３）が設けられ、犯人拘束の際、その先端に設けたフック（１４）により柱などに固定できるようにした請求項１、７、１１記載の拘束アーム付き刺股。
【考案の詳細な説明】
【技術分野】
【０００１】
本考案は、凶器を持った暴漢、犯人を取り押さえる刺股に関する。
【背景技術】
【０００２】
従来、かかる刺股は長柄の先にＵ字型の刺股部を備えた構造になっており、更に押さえ込んだ状態で逃すことが無いように拘束機構を備えたものが下記の特許文献に開示されている。
【特許文献１】実公昭４１―８８８０号
【特許文献２】実用新案登録第３１０５３３３号
【特許文献３】特開２００１―２８９５９３号
【特許文献４】実用新案登録第３１０２８９０号
【特許文献５】特開２００４―２６４０１４号
【考案の開示】
【考案が解決しようとする課題】
【０００３】
本考案は、刺股で犯人を押さえ込んだ時に刺股の先端に取り付けた拘束アームで拘束者を締め付け、容易に離脱し得ないようにした刺股を提供することを目的とする。
【課題を解決するための手段】
【０００４】
本考案の拘束アーム付き刺股は、請求項１記載のように、長柄１の先に左右に分かれ、それぞれ中心に向け内周りに回動する２個の拘束アーム５を設けた刺股において、該拘束アーム５に内回りの回転力を与える付勢手段と、その付勢力による拘束アームの作動を阻止する作動阻止手段と、その作動阻止を解除する開放手段と、拘束アームの逆転を阻止する逆転防止手段と、その逆転阻止を解除する逆転解除手段とを各設けたものである。
【０００５】
また請求項２〜６に記載のように、前記拘束アーム５の付勢手段が、軸ピン６と拘束アーム５との間に介在させた巻きバネ１５の作用であり、前記拘束アームの作動阻止手段が、拘束アーム５の基端５ａに設けた段部にバネ１７で付勢された係止片１６を当接させて行う手段であり、前記拘束アーム５の作動阻止手段を解除する開放手段が、長柄１の軸内にワイヤ１８を張設し、押しボタン１９を押すことによって係止片１６が拘束アーム５の基端５ａから離脱するようにした手段であり、前記拘束アームの逆転を阻止する逆転防止手段が、拘束アーム５の基端５ａに設けたラッチ９をバネ８で付勢して軸ピン６の全周に設けたギヤ歯７に当接させたものであり、前記拘束アーム５の逆転阻止を解除する逆転解除手段が、拘束アーム５の逆転を規制するラッチ９をピンまたは鍵などの開錠手段で開放する手段であることなどを特徴としている。
【０００６】
また請求項７記載のように、前記拘束アーム５が長柄１の先端にその中央から左右に分かれた半円弧状の刺股２を設け、この刺股２の両端に各設けられており、請求項８記載のように、前記拘束アーム５の基端５ａは、刺股２の略３／４ほどを平行に分岐させた分岐片４の先端に挟まれて軸ピン６で軸支されており、請求項９記載のように、前記拘束アーム５の先端に磁石１０を埋設して双方が近接したときに接合するようにしたものであり、請求項１０記載のように、前記刺股２の内側に複数本の突子１１を設けて暴漢を拘束アーム５で押さえ込んだときに容易に離脱できないようにした。
【０００７】
さらに請求項１１記載のように、前記拘束アーム５が、長柄１の先端中央に左右に分かれて軸ピン６で軸支されており、請求項１２記載のように、前記長柄１の先端近傍を弾性部材１２で形成して暴漢を押さえ込んだときに長柄１の先端が揺動して容易に刺股から離脱できないようにした。また請求項１３記載のように、前記長柄１の基端には固定用ロープを収容するケース１３が設けられ、犯人拘束の際、その先端に設けたフック１４により柱などに固定できるようにしたことなどを特徴としている。
【考案の効果】
【０００８】
以上説明したように、本考案の刺股を犯人、暴漢などに押し当てると、先端の拘束アームが内周りに１回転して犯人を拘束する。そして犯人が動けばさらに締め付けられるのでその自由を奪い確実に犯人を拘束することが出来る。
【考案を実施するための最良の形態】
【０００９】
本考案の拘束アーム付き刺股は、長柄１の先に左右に分かれ、それぞれ中心に向け内周りに回動する２個の拘束アーム５を設けた刺股において、該拘束アーム５に内回りの回転力を与える付勢手段と、その付勢力による拘束アームの作動を阻止する作動阻止手段と、その作動阻止を解除する開放手段と、拘束アームの逆転を阻止する逆転防止手段と、その逆転阻止を解除する逆転解除手段とを各設けたものである。
【実施例１】
【００１０】
以下、本考案の好適なひとつの実施形態を図面に基づき説明する。図１に示す第１実施例の刺股は、伸縮自在な長柄１の先にその中央から左右に分かれた半円弧状の刺股２を設けたものである。そしてこの左右に分かれた刺股２は、図２に示すようにそれぞれ先端に向けその３／４ほどを空隙３に形成し、先端部は平行に分かれた分岐片４となっている。そしてこの分岐片４の先端にやや円曲する拘束アーム５の基端を挟み込み、ピン６で軸支するようにした。そして拘束アーム５がそれぞれ内周りに回転することを助成するために図３に示すように軸ピン６と拘束アーム５との間に巻きバネ１５を介在させ巻きバネ１５の付勢力で拘束アーム５を内周りに回動させるようにした。
【００１１】
さらに拘束アーム５の逆転を防ぐために図４、図５に示すように拘束アーム５を回動自在に支持する軸ピン６の全周にギヤ歯７を設け、このギヤ歯７に拘束アーム５の基端５ａに設けたラッチ９をバネ８で付勢して当接させ、暴漢を拘束したときに拘束アーム５が逆転しないように係止するようにした。また後述する実施例２の図７、図８に示すように、拘束アーム５の基端５ａの段部にバネ１７で付勢された係止片１６を当接させて巻きバネ１５の反力で拘束アーム５が自然に回転しないようにした。さらに長柄１の軸内にワイヤ１８を張設し、押しボタン１９を押すことによってワイヤ１８が引かれバネ１７に抗して係止片１６が拘束アーム５の軸部５ａから離脱し、拘束アーム５が巻きバネ１５の作用で内周りに回動するようにした。
【００１２】
またこの拘束アーム５の先端は内側に折り曲げてその側面に磁石１０を埋設して双方が近接したときに接合し、離反しないようにしてある。また刺股２の内側には複数本の突子１１を設けて暴漢を拘束アーム５で押さえ込んだときに容易に離脱できないようにした。また長柄１の先端近傍は強力なコイルバネまたは強化ゴム、軟性樹脂などの弾性部材１２で形成して暴漢を押さえ込んだときに長柄の先端が前後に揺動し容易に刺股から離脱できないようにした。また長柄１は２〜３本の継ぎ手パイプで構成され伸縮できるので使用しないときはコンパクトに畳み込んで非常ボックスへ収容が出来る。また長柄１の基端には固定用ロープを収容するケース１３が設けられ、犯人拘束の際、フック１４により柱などに固定できるようになっている。
【００１３】
本刺股を用いて不信な侵入者や刃物を持った暴漢、犯人を取り押さえるときは、図１の状態の刺股を暴漢に押し付け、押しボタン１９を押すと、拘束アーム５の先端の磁石が離れ、拘束アームはそれぞれ巻きバネ１５の付勢力も加わって内周りに回転し、空隙３をくぐり抜け１回転して暴漢の胴回りを挟みつける。さらに犯人が抵抗するとラッチ９がギヤ歯７を乗り越えて拘束アーム５が閉めこまれ暴漢を突起物１１との間に強固に締め付ける。かくして暴漢は刺股から逃れることが出来なくなる。尚、暴漢を刺股から外す場合は、拘束アーム５基端に設けた鍵穴から図示しないピンまたは鍵など開錠手段となるものを差し込んでラッチ９をギヤ歯７から離脱させることにより暴漢を拘束アーム５から離脱させることが出来る。
【実施例２】
【００１４】
図６は本考案の第２実施例を示し、長柄１の先端に左右に分かれる２本の拘束アーム５をピン６で軸支し、それぞれ内周りに回動するようにしたものである。そして図７、図８に示すように実施例１と同様に軸ピン６と拘束アーム５との間に巻きバネ１５を介在させ巻きバネ１５の付勢力で拘束アーム５を内周りに回動させるようにした。また実施例１と同様に、拘束アーム５の逆転を防ぐために拘束アーム５を回動自在に支持する軸ピン６の全周にギヤ歯７を設け、このギヤ歯７に拘束アーム５の基端５ａに設けたラッチ９をバネ８で付勢して当接させ、暴漢を拘束したときに拘束アーム５が逆転しないように係止するようにした。
【００１５】
また拘束アーム５の基端５ａに押しバネ１６で付勢された係止片１７を当接させて巻きバネ１５の反力で拘束アーム５が回転しないようにしてある。この係止状態を解くために、長柄１の軸内にワイヤ１８を張設し、押しボタン１９を押すことによって係止片１７が拘束アーム５の軸部５ａから離脱し、拘束アーム５が巻きバネ１５の付勢力で内周りに回動するようになっている。
【００１６】
尚、実施例１と同様に長柄１の先端近傍に弾性部材１２を設け、暴漢を押さえ込んだときに長柄の先端が前後に揺動し容易に刺股から離脱できないようにした。また長柄１は２〜３本の継ぎ手パイプで構成され伸縮できるので使用しないときはコンパクトに畳み込んで非常ボックスへ収容が出来る。また長柄１の基端には固定用ロープを収容するケース１３が設けられ、犯人拘束の際、フック１４により柱などに固定できるようになっている。そして暴漢を拘束するときは実施例１と同様の操作で使用する。
【図面の簡単な説明】
【００１７】
【図１】本考案、実施例１の刺股の正面図である。
【図２】実施例１の刺股部分の斜視図である。
【図３】拘束アームの基端と軸ピン間に介在させた巻きバネの状態図である。
【図４】ラッチとギヤ歯の関係を示す平断面図である。
【図５】ラッチとギヤ歯の関係を示す側断面図である。
【図６】実施例２の刺股正面図である。
【図７】実施例２の拘束アーム基端部分の断面図である。
【図８】実施例２のラッチとギヤ歯の状態図である。
【符号の説明】
【００１８】
１  長柄
２  半円弧状の刺股
３  空隙
４  分岐片
５  拘束アーム
６  軸ピン
７  ギヤ歯
８  バネ
９  ラッチ
１０  磁石
１１  突子
１２  弾性部材
１３  ロープ収容ケース
１４  フック
１５  巻きバネ
１６  係止片
１７  押しバネ
１８  ワイヤ
１９  押しボタン
【図１】
0003116280.tif 000003
【図２】
0003116280.tif 000004
【図３】
0003116280.tif 000005
【図４】
0003116280.tif 000006
【図５】
0003116280.tif 000007
【図６】
0003116280.tif 000008
【図７】
0003116280.tif 000009
【図８】
0003116280.tif 000010